(57)【要約】      （修正有）【課題】ブリスターパックにおいて、ブリスター本体及び台紙の双方においてコストの無駄が無くなり、デザイン的な自由度も拡大できるようにする。また再利用化が図れるようにする。【解決手段】台紙２とブリスター本体３とを有し、ブリスター本体３には物品収容スペースを覆うドーム部６と、このドーム部６の全周へ張り出して台紙２との面接合を可能にするフランジ部７とが設けられ、フランジ部７には、ドーム部６側へ自由端を向けた切り起こしにより形成される台紙２用の抱き爪１０が当該フランジ部７の外周部に沿って互いに所定間隔で複数設けられている。【選択図】図１
0003134024.tif 000002
【実用新案登録請求の範囲】
【請求項１】
正面（２ａ）の一部を物品収納スペースに臨ませて物品のバックアップに用いる台紙（２）と、この台紙（２）の正面（２ａ）を被覆可能とされたブリスター本体（３）とを有し、ブリスター本体（３）には上記物品収容スペースを覆うドーム部（６）と、このドーム部（６）の全周へ張り出して台紙（２）との面接合を可能にするフランジ部（７）とが設けられており、フランジ部（７）には、ドーム部（６）側へ自由端を向けた切り起こしにより形成される台紙（２）用の抱き爪（１０）が当該フランジ部（７）の外周部に沿って互いに所定間隔で複数設けられていることを特徴とするブリスターパック。
【請求項２】
前記ブリスター本体（３）のフランジ部（７）には、前記台紙（２）の外周部を嵌合状態にして台紙（２）との相対的なガタツキを防止する補強リブ（１１）が形成されていることを特徴とする請求項１記載のブリスターパック。
【請求項３】
前記台紙（２）には、その外周部のうちブリスター本体（３）の抱き爪（１０）に対応する箇所に対し、抱き爪（１０）の爪先のみとの係合を可能とさせると共に係合状態のときに抱き爪（１０）の根本をフランジ部（７）の表面側から押せるように曝すための切欠（１５）が形成されていることを特徴とする請求項１又は請求項２記載のブリスターパック。
【考案の詳細な説明】
【技術分野】
【０００１】
本考案は、ブリスターパックに関するものである。
【背景技術】
【０００２】
商品等（以下「物品」と言う）の流通や販売時における包装に用いられるブリスターパックは、正面の一部を物品収納スペースに臨ませて物品のバックアップに用いる台紙と、この台紙の正面を被覆可能とされたブリスター本体とを有したものとなっている。
ブリスター本体は合成樹脂製であり、多くの場合、真空成形などによって製造される。台紙とブリスター本体との結合は、ステープラーによる合綴や粘着テープによる貼り付け、熱融着や超音波溶着、或いは接着剤やホットメルト等による接着を行うのが一般的である。
【０００３】
なお、台紙とブリスター本体とを結合させるに際して、両者の位置決めを行うには、ブリスター本体に対し、その外周部のなかで対辺関係となる直線状の２辺部に、互いに平行な折り返し片を形成させておき、これらをガイドレールのようにしてその間へ台紙を差し込むような方法が採用されることがあった（例えば、特許文献１等参照）。
【特許文献１】実開平７−９１６８号公報
【考案の開示】
【考案が解決しようとする課題】
【０００４】
ブリスターパックでは、台紙やブリスター本体にある程度の強度を持たせることは容易なことであり、台紙への装飾やブリスター本体の透明化などによって体裁のよい包装材、或いは保存用容器としての役目を持たせることもできる。またゴミの減量や省資源化が叫ばれる今日、ブリスターパックを単なる物品の流通や販売のみに使って廃棄してしまうことが問題視されることもあった。
そこでブリスターパックの再利用化が考えられるが、この再利用化を可能にするには、台紙とブリスター本体とを着脱自在で、且つこの着脱を繰り返し行える構造にする必要が生じる。ここにおいて、従来のブリスターパックに採用されていたように、ブリスター本体に互いに平行な２本の折り返し片（ガイドレール状のもの）を設けて、それらの間へ台紙を差し込む構造は有用となる。
【０００５】
ところが、このような差し込み構造を採用する場合、台紙は方形であることが必要とされ、もとよりブリスター本体も、物品収納スペースのまわりへ大きく無駄となるフランジ部を張出形成させて、全体的な正面視形状を方形とさせなければならなくなる。従って、ブリスター本体及び台紙の双方においてコスト的な無駄が生じ、また外形状が方形に制限されてしまってデザイン的な自由度が無いという欠点があった。
なお、ブリスター本体には、その外周部のうち大半を占める領域又は全周に折り返し片を設ける必要があり、この折り返し片を設けるに際して手間のかかる熱加工が必要になっていた。このことが低コスト化にネックとなっていた。
【０００６】
本考案は、上記事情に鑑みてなされたものであって、コスト的な無駄を可及的に無くすことが可能であり、またデザイン的な自由度も拡大できるようにして、再利用化が図れるようにしたブリスターパックを提供することを目的とする。
【課題を解決するための手段】
【０００７】
前記目的を達成するために、本考案は次の手段を講じた。
即ち、本考案に係るブリスターパックは、正面の一部を物品収納スペースに臨ませて物品のバックアップに用いる台紙と、この台紙の正面を被覆可能とされたブリスター本体とを有し、ブリスター本体には上記物品収容スペースを覆うドーム部と、このドーム部の全周へ張り出して台紙との面接合を可能にするフランジ部とが設けられており、フランジ部には、ドーム部側へ自由端を向けた切り起こしにより形成される台紙用の抱き爪が当該フランジ部の外周部に沿って互いに所定間隔で複数設けられている。
【０００８】
ブリスター本体のフランジ部に設けた複数の抱き爪は、ブリスター本体に対して台紙を抱き込んだ状態に保持できるものであるが、台紙に対する係合と離脱とを自在に行える程度の可撓性や弾性を備えたものとなるので、ブリスター本体と台紙との着脱を何度も繰り返し行えるようになる。これにより、ブリスターパックとしての再利用が可能になる。
ここにおいて、ブリスター本体と台紙との着脱を可能にする構造が、ブリスター本体のフランジ部に設けた複数の抱き爪により実現されているので、台紙を方形にすることは特に重要なことではなくなる。例えば台紙には、円形や楕円形、或いはキャラクターをかたどったような外形状も採用できることになる。勿論、ブリスター本体のフランジ部についても。台紙の外形状に合わせて、同様な任意形状を採用できることになる。
【０００９】
このようなことから、ブリスター本体として、物品収納スペースのまわりへ大きく無駄となるフランジ部を張出形成させる必要が無くなり、ブリスター本体及び台紙の双方においてコスト的な無駄の解消や、デザイン的な自由度を拡大できるという利点に繋がる。
またブリスター本体は、従来のものとは異なり、その外周部のうち大半を占める領域又は全周に折り返し片を設ける必要がないので、このような折り返し片を設けるに際して必要とされていた手間のかかる熱加工が不要となる利点がある。このことも低コスト化に有益である。
【００１０】
ブリスター本体のフランジ部には、台紙の外周部を嵌合状態にして台紙との相対的なガタツキを防止する補強リブを形成するのが好適である。
このようにすることでフランジ部の補強、並びに各抱き爪の補強と弾性力の強化が可能である。また、ブリスター本体と台紙との相対的な位置決めが可能となるので、台紙に対する個々の抱き爪の確実な係合、及び全ての抱き爪による均一な係合状態が得られるものとなり、ブリスター本体と台紙との結合状態が確実になる利点がある。
台紙には、その外周部のうちブリスター本体の抱き爪に対応する箇所に対し、抱き爪の爪先のみとの係合を可能とさせると共に、係合状態のときに抱き爪の根本をフランジ部の表面側から押せるように曝すための切欠を形成するのが好適となる。
【００１１】
台紙に対してこのような切欠を形成しておくと、ブリスター本体と台紙との結合状態としたとき、ブリスター本体におけるフランジ部の表面側で抱き爪の根本が曝された状態（露出した状態）となるから、この抱き爪の根本を指先等で直接、押すことができるようになる。そのため、抱き爪を、台紙の切欠に係合した状態からこの係合を解除させるようにする操作が容易に行えるものとなる。
【考案の効果】
【００１２】
本考案に係るブリスターパックは、ブリスター本体及び台紙の双方においてコスト的な無駄が略無くなり、またデザイン的な自由度も拡大できる。また再利用化が図れるようになっている。
【考案を実施するための最良の形態】
【００１３】
以下、本考案の実施の形態を、図面に基づき説明する。
図１乃至図６は、本考案に係るブリスターパック１の一実施形態を示している。このブリスターパック１は台紙２とブリスター本体３とを有したもので、台紙２の正面２ａに対してその全部（場合によっては一部だけでもよい）をブリスター本体３が被覆可能となっている。
台紙２は、白ボール紙、段ボール、樹脂含浸紙、樹脂コーティング紙、樹脂ラッピング紙、又はその他の紙類や、樹脂シートなどにより形成され、その正面２ａの一部が物品収納スペース（物品のバックアップをするスペース）に臨むようにして使用される。
【００１４】
ブリスター本体３は、適宜合成樹脂材により形成されたものであって、ドーム部６とこのドーム部６の全周へ張り出して台紙２との面接合を可能にするフランジ部７とを有している。採用可能な合成樹脂としては、例えばポリ塩化ビニル、ポリエチレン、ポリプロピレン、ポリエチレンテレフタレート、ポリスチロール、ポリカーボネート、ポリアクリロニトリル等がある。なお、好ましくは透明乃至着色透明とする。
ドーム部６はその内部を空洞にして膨らんだ形状とされたもので、台紙２の正面２ａに形成される物品収容スペースと共に、この物品収容スペースへ収納される物品（図示略）を覆うようになっている。膨らみの形状は、収容しようとする物品の大きさや形状に応じて適宜変更すればよい。
【００１５】
フランジ部７は、ドーム部６の外周部を外向きに折曲させるような状態で設けられたものであって、且つ、ドーム部６の外周部を全周的に取り囲むように額縁状に設けられている。なお、フランジ部７は、ドーム部６の外周部で所定幅を略一定に保つように形成することも可能であるし、ドーム部６の外周部とは無関係に、適宜幅寸法で形成することもできる。
ところで、台紙２の外形状や、ブリスター本体３におけるフランジ部７全体の外形状（ブリスターパック１を正面視したときの全体の輪郭）については、いずれもブリスター本体３を平面視したときのドーム部６大きさよりも大きくなっていれば、特に限定されるものではない。すなわち、いずれも、方形であること（外周部のなかで対辺関係を有して互いに平行する直線状の２辺があること）は限定されない。
【００１６】
本実施形態では、台紙２の外形状を楕円形とし、またブリスター本体３におけるフランジ部７全体の外形状も、台紙２より一回り大きな楕円形としてある。
ブリスター本体３において、そのフランジ部７には、台紙２用の抱き爪１０が当該フランジ部７の外周部に沿って互いに所定間隔で複数設けられている。また、これら各抱き爪１０の外側でフランジ部７の外周部を縁取るようにして、補強リブ１１が形成されている。
フランジ部７に対して補強リブ１１が形成されていることにより、補強リブ１１全体、ひいてはブリスター本体３全体が剛性を強め、変形し難くなっている。また、補強リブ１１によってフランジ部７の裏面には一段凹むようになる段差が生じ、この段差内に台紙２の外周部を嵌合できるようになっている。補強リブ１１は、この段差内で台紙２がガタツキを起こさないように、その大きさ、段差量、及び形状が設定されている。
【００１７】
各抱き爪１０は、フランジ部７に対して設ける切り起こしにより形成されたもので、この切り起こしによって生じる自由端が、全てドーム部６側へ向くように（切り起こしによって生じる折り曲げ部位を補強リブ１１へ近接させた向きに）なっている。なお、このことから明かなように、抱き爪１０は、切り起こしによって生じる折り曲げ部位が補強リブ１１と近接していることから、抱き爪１０自体の剛性も補強リブ１１により強められ、且つ弾性力も増強されつことになる。
抱き爪１０の配置や形成数などは特に限定されるものではない。但し、ドーム部６を挟んで向かい合わせになるような配置（必ずしも対向位置に一致させる必要はなく千鳥配置等としてもよい）とするのが好適である。
【００１８】
図例では全部で５箇所に抱き爪１０を設けてある。内訳は、楕円形を呈するフランジ部７において２辺ある長円カーブに対し、それぞれ２箇所の抱き爪１０を設けて、２辺の長円カーブ間で（ドーム部６を介して）対向するようにしてある。またフランジ部７において２辺ある短円カーブのうち一方に対し、１箇所に抱き爪１０を設けてある。なお、この短円カーブのうち他方側にはフック掛け用の丸孔１４が、ブリスター本体３のフランジ部７と台紙２とを貫通する状態で設けられている。
一方、ブリスター本体３の抱き爪１０に対応するようにして、台紙２には、その外周部の複数箇所に切欠１５が設けられている。この切欠１５は、抱き爪１０の爪先のみとの係合を可能とさせるものである。そして抱き爪１０の爪先と切欠１５とが係合状態となったときには、抱き爪１０の根本がフランジ部７の表面側から押せるように曝される状態（図６参照）になる。
【００１９】
本実施形態では、図４に示すように、抱き爪１０の爪先から根本までの寸法Ｌを約５ｍｍとし、このうち切欠１５と係合する爪先寄りの寸法Ｍを約２．５ｍｍとし、フランジ部７の表面側に曝されるようになる根本寄りの寸法Ｎを約２．５ｍｍとした。切欠１５の切欠量Ｒは約３ｍｍとした。
本考案に係るブリスターパック１において、図４に示すようにブリスター本体３と台紙２とが結合された状態から、図５に示すように両者を離脱させるには、図６に示すように、まずブリスター本体３におけるフランジ部７の表面側から、各抱き爪１０の根本が曝された部分（台紙２の切欠１５によって露出された寸法Ｎの部分）へ向けて指先を差し込み、この抱き爪１０の根本を台紙２ごと押し込むようにする。
【００２０】
これにより、抱き爪１０を台紙２の切欠１５に係合した状態から解除させることができる。このようにして所定数又は全部の抱き爪１０と台紙２の切欠１５との係合を解除させることで、ブリスター本体３と台紙２とを離脱させることができる。
反対に、図５に示すようにブリスター本体３と台紙２とが離脱した状態から、図４に示すように両者を結合させるには、まずブリスター本体３のフランジ部７における片側の長円カーブに並んだ抱き爪１０に台紙２の切欠１５を差し込み、互いに係合状態にさせる。
このとき、ブリスター本体３のフランジ部７に補強リブ１１が設けられているので、ブリスター本体３と台紙２との相対的な位置決めは簡単に行える。
【００２１】
そして、ブリスター本体３のフランジ部７における反対側の長円カーブに並んだ抱き爪１０について、図６に示すように、フランジ部７の表面側から、各抱き爪１０の根本が曝された部分（台紙２の切欠１５によって露出された寸法Ｎの部分）へ指先を差し込み、この抱き爪１０の根本を押し込むようにする。
これにより抱き爪１０が、一旦、台紙２の切欠１５を乗り越えるような状態にさせる。そのうえで指先による押し込みを止めれば、抱き爪１０が弾性復帰作用により、切欠１５と係合した状態になる。このようにして残りの抱き爪１０と台紙２の切欠１５とを全て係合させることで、ブリスター本体３と台紙２とを結合させることができる。
【００２２】
以上、詳説したところから明かなように、本考案に係るブリスターパック１では、ブリスター本体３のフランジ部７に設けた複数の抱き爪１０が、ブリスター本体３に対して台紙２を抱き込んだ状態に保持できるようになっている。そしてこの抱き爪１０は、台紙２に対する係合と離脱とを自在に行える程度の可撓性や弾性を備えたものとなっているので、ブリスター本体３と台紙２との着脱を何度も繰り返し行えるようになる。
また、ブリスター本体３と台紙２との着脱を可能にする構造が、ブリスター本体３のフランジ部７に設けた複数の抱き爪１０により実現されているので、台紙２を方形にすることは特に重要なことではなくなり、例えば台紙２は、円形や楕円形、或いはキャラクターをかたどったような外形状としてもよい。勿論、ブリスター本体３のフランジ部７についても、台紙２の形状に合わせて、同様な任意形状を採用できることになる。
【００２３】
このようなことから、本考案に係るブリスターパック１は、再利用が可能であると共に、ブリスター本体３のフランジ部７や台紙２は無駄に大きくする必要がないことからコスト的な無駄の解消や、デザイン的な自由度を拡大できるという利点が得られる。
ところで、本考案は、上記実施形態に限定されるものではなく、実施の形態に応じて適宜変更可能である。
【図面の簡単な説明】
【００２４】
【図１】本考案に係るブリスターパックの一実施形態を示した斜視図である。
【図２】図１のＡ−Ａ線に対応する部位で破断した様子を示した斜視図である。
【図３】図１のブリスターパックをブリスター本体３と台紙２とに分離させた分解斜視図である。
【図４】図１のＢ−Ｂ線拡大断面図である。
【図５】ブリスター本体３のフランジ部から台紙２を外した様子を図４と比較し易く描いた断面図である。
【図６】図４から図５の状態にする途中の操作状況を示した断面図である。
【符号の説明】
【００２５】
１  ブリスターパック
２  台紙
２ａ  正面
３  ブリスター本体
６  ドーム部
７  フランジ部
１０  抱き爪
１１  補強リブ
１５  切欠
【図１】
0003134024.tif 000003
【図２】
0003134024.tif 000004
【図３】
0003134024.tif 000005
【図４】
0003134024.tif 000006
【図５】
0003134024.tif 000007
【図６】
0003134024.tif 000008